(57)【要約】【課題】  ベルト層のセパレーションが発生してもバーストに至ることを抑制することができる空気入りラジアルタイヤを提供する。【解決手段】  本発明に係る空気入りラジアルタイヤ１０は、タイヤ周方向に沿ってカーカス層２２を補強する１本または２本以上の補強コード２５ｃが用いられたカーカス補強層２５を備え、カーカス補強層２５が、カーカス層２２に隣接するとともに、交錯ベルト層２４とインナーライナー２６との間に設けられており、補強コード２５ｃに働く張力が、空気入りラジアルタイヤ１０に規定空気圧が充てんされた状態において、５０Ｎ／コード１本以下である。【選択図】  図１
2005254993.tif 000002
【特許請求の範囲】
【請求項１】
ラジアルコードと前記ラジアルコードに圧着されたゴムから構成されるカーカス層、前記カーカス層よりもタイヤ径方向外側に位置する少なくとも１層のベルト層、及び前記カーカス層よりもタイヤ径方向内側に位置するインナーライナーを有する空気入りラジアルタイヤであって、
タイヤ周方向に沿って前記カーカス層を補強する１本または２本以上の補強コードが用いられたカーカス補強層を備え、
前記カーカス補強層は、前記カーカス層に隣接するとともに、前記ベルト層と前記インナーライナーとの間に設けられており、
前記補強コードに働く張力は、前記空気入りラジアルタイヤに規定空気圧が充てんされた状態において、５０Ｎ／コード１本以下であることを特徴とする空気入りラジアルタイヤ。
【請求項２】
前記カーカス補強層は、タイヤ赤道線を含む領域に設けられていることを特徴とする請求項１に記載の空気入りラジアルタイヤ。
【請求項３】
前記カーカス補強層のトレッド幅方向の長さは、タイヤ赤道線上における前記ラジアルコード間のタイヤ周方向の間隔よりも広いことを特徴とする請求項１または２に記載の空気入りラジアルタイヤ。
【請求項４】
前記補強コードの材質は、所定の有機繊維であることを特徴とする請求項１乃至３の何れか一項に記載の空気入りラジアルタイヤ。
【請求項５】
前記カーカス補強層の引張破断強力は、１５０Ｎ以上であることを特徴とする請求項１乃至４の何れか一項に記載の空気入りラジアルタイヤ。
【請求項６】
前記ベルト層のタイヤ径方向外側に位置し、前記ベルト層を補強するベルト補強層をさらに備えることを特徴とする請求項１乃至５の何れか一項に記載の空気入りラジアルタイヤ。
【発明の詳細な説明】
【技術分野】
【０００１】
本発明は、カーカス層、少なくとも１層のベルト層、及びインナーライナーを有する空気入りラジアルタイヤに関し、特に、カーカス層を補強する補強層を用いてバーストに至ることを抑制することができるＳＵＶ用及び小形トラック用空気入りラジアルタイヤに関する。
【背景技術】
【０００２】
いわゆるミニバンなどのＳＵＶ用空気入りラジアルタイヤや、小形トラック（ＬＴ）用空気入りラジアルタイヤは、充てんされる空気圧（内圧）が高く、乗用車用の空気入りラジアルタイヤと比較して厳しい条件で使用されるという特徴を有している。このため、ベルト層の耐久性の確保が難しく、ベルト層のセパレーションが発生し易い。
【０００３】
図６は、このような従来の空気入りラジアルタイヤにおいて、ベルト層のセパレーションが発生〜進行する様子を説明するために、トレッド幅方向断面の一部を示した図である。
【０００４】
同図に示すように、上述した従来の空気入りラジアルタイヤの一例である空気入りラジアルタイヤ１６は、その骨格を形成し、荷重や内圧に耐えてタイヤの形状を保持するラジアル構造のカーカス層２２を有している。なお、空気入りラジアルタイヤ１６は、タイヤ赤道線ＣＬを中心として対称の構造を有している。
【０００５】
また、カーカス層２２のタイヤ径方向外側には、カーカス層２２を締めつける交錯ベルト層２４（第１ベルト層２４ａ及び第２ベルト層２４ｂ）が設けられている。
【０００６】
ここで、第１ベルト層２４ａ（または第２ベルト層２４ｂ）のセパレーションは、まず、第１ベルト層２４ａの端部において発生する。同図において、位置Ｐ１は、セパレーションが発生する前における第１ベルト層２４ａの端部の位置を示している。一方、位置Ｐ２は、セパレーションが発生した後における第１ベルト層２４ａの端部の位置を示している。
【０００７】
この後、第１ベルト層２４ａのセパレーションがさらに進行し、第１ベルト層２４ａと第２ベルト層２４ｂとの裂け目がタイヤ赤道線ＣＬ側に拡がると、第１ベルト層２４ａの他端部（不図示）から同様に進行してきた裂け目とつながる。
【０００８】
すなわち、第１ベルト層２４ａが、第２ベルト層２４ｂ及びカーカス層２２から完全に剥離すると、図７に示すように、カーカス層２２は、内圧や車両の荷重に耐え切れなくなり、空気入りラジアルタイヤ１６は、バースト（図中の“Ｂ”）することとなる。
【０００９】
そこで、ベルト層のセパレーションを抑制するため、例えば、ベルト層のタイヤ径方向外側に、いわゆるキャッププライやキャップレイヤーなどのベルト補強層を付加して、ベルト層を３重などに重構造化する方法が用いられている（例えば、特許文献１）。
【特許文献１】特開２００２−第４６４１１号公報（第３−４頁、第１図）
【発明の開示】
【発明が解決しようとする課題】
【００１０】
しかしながら、上述したような、キャッププライやキャップレイヤーが付加された従来の空気入りラジアルタイヤには、次のような問題があった。すなわち、このような従来の空気入りラジアルタイヤは、ミニバンや小形トラックなどに装着されるため、乗用車などと比較して、一般的に使用期間が長く、また、積載量や乗車人員の違いによる荷重の変動など、様々な条件下で使用されることが多い。
【００１１】
このように、空気入りラジアルタイヤにとって厳しい条件下では、キャッププライやキャップレイヤーが付加された従来の空気入りラジアルタイヤでも、ベルト層のセパレーションを完全に防止することができないといった問題があった。
【００１２】
また、ベルト層のセパレーションが進行し、ベルト層がカーカス層から剥離すると、トレッド部がタイヤ径方向外側に膨れるため、走行中に異常な音や振動が発生するようになる。このタイミングでセパレーションが発生した空気入りラジアルタイヤを交換することができればよいが、高速道路など、走行を継続しなければならない状況が生じ得る。
【００１３】
かかる場合、バーストの発生によってその形状を維持することができなくなった空気入りラジアルタイヤは、車両の荷重によって押し潰され、バーストによってコントロール能力を奪われた車両、特に、ミニバンや小形トラックなど、乗用車と比較して車高が高い車両は、転倒などの重大な危険に直面する可能性があるので問題となる。
【００１４】
そこで、本発明は、上述した問題点に鑑みてなされたものであり、ベルト層のセパレーションが発生してもバーストに至ることを抑制することができる空気入りラジアルタイヤを提供することを目的とする。
【課題を解決するための手段】
【００１５】
上述した問題を解決するにあたって、発明者等は、まず、従来の空気入りラジアルタイヤにおけるバーストの発生メカニズムについて検討した。ここで、バーストとは、カーカス層を構成するラジアルコードに圧着されたゴムが、ラジアルコードに沿って裂けることよって、空気入りラジアルタイヤに充てんされた空気圧、つまり、内圧が一気にゴムの裂け目から流出し、ベルト層やトレッド部を突き破ることである。
【００１６】
より具体的には、ベルト層のセパレーションの進行によって、カーカス層のみが、内圧や車両の荷重による負荷を支えることとなったときであっても、カーカス層を構成するラジアルコード自体は、当該負荷を支えることができる能力を有している。
【００１７】
しかしながら、ラジアルコード間のゴムが当該負荷に耐えることができず、放射方向（ラジアル方向）に裂けてしまうのである（図７の符号“Ｂ”参照）。
【００１８】
かかる知見を踏まえ、発明者等は、カーカス層を周方向に沿って補強する補強層をカーカス層に隣接して配置すれば、わずかな補強であっても急激なバーストの発生を効果的に防止できることに着目したのである。
【００１９】
そこで、本発明は、次にような特徴を有している。まず、本発明の第１の特徴は、ラジアルコード（ラジアルコード２２ｃ）と前記ラジアルコードに圧着されたゴム（ゴム２２ｇ）から構成されるカーカス層（カーカス層２２）、前記カーカス層よりもタイヤ径方向外側に位置する少なくとも１層のベルト層（第１ベルト層２４ａ，第２ベルト層２４ｂ）、及び前記カーカス層よりもタイヤ径方向内側に位置するインナーライナー（インナーライナー２６）を有する空気入りラジアルタイヤであって、タイヤ周方向に沿って前記カーカス層を補強する１本または２本以上の補強コード（補強コード２５ｃ）が用いられたカーカス補強層（カーカス補強層２５）を備え、前記カーカス補強層が、前記カーカス層に隣接するとともに、前記ベルト層と前記インナーライナーとの間に設けられており、前記補強コードに働く張力が、前記空気入りラジアルタイヤに規定空気圧（例えば、ＪＡＴＭＡによって規定される空気圧）が充てんされた状態において、５０Ｎ／コード１本以下であることを要旨とする。
【００２０】
かかる特徴によれば、タイヤ周方向に沿ってカーカス層を補強する１本または２本以上の補強コードが用いられたカーカス補強層が前記カーカス層に隣接して設けられているため、わずかな補強によって、ベルト層のセパレーションが発生してもバーストに至ることを抑制することができる。
【００２１】
また、かかる特徴によれば、補強コードに働く張力が、空気入りラジアルタイヤに規定空気圧が充てんされた状態において、５０Ｎ／コード１本以下となるため、空気入りラジアルタイヤのバーストによって補強コードが伸張された場合でも補強コードが破断伸び率に達することを防止することができる。
【００２２】
さらに、かかる特徴によれば、空気入りラジアルタイヤが正常な状態では、補強コードに不要な張力が働かないため、カーカス補強層の劣化を抑制すること、及び他の特性（例えば、ベルト層の曲げ剛性）に影響を与えることを回避することができる。
【００２３】
本発明の第２の特徴は、本発明の第１の特徴において、前記カーカス補強層が、タイヤ赤道線（タイヤ赤道線ＣＬ）を含む領域に設けられていることを要旨とする。
【００２４】
かかる特徴によれば、カーカス補強層がタイヤ赤道線を含む領域に設けられるため、カーカス層を構成するラジアルコード間のタイヤ周方向における間隔（Ｇ）が最も広く、バーストの起点となり易いタイヤ赤道線を含む領域を効果的に補強することができる。
【００２５】
本発明の第３の特徴は、本発明の第１または第２の特徴において、前記カーカス補強層のトレッド幅方向の長さ（Ｗ）が、タイヤ赤道線（タイヤ赤道線ＣＬ）上における前記ラジアルコード間のタイヤ周方向の間隔（Ｇ）よりも広いことを要旨とする。
【００２６】
かかる特徴によれば、カーカス補強層のトレッド幅方向の長さ（Ｗ）が、タイヤ赤道線上におけるラジアルコード間のタイヤ周方向の間隔（Ｇ）よりも広いため、ラジアルコード間のゴム部分がバーストすることを効果的に抑制することができる。つまり、カーカス補強層のトレッド幅方向の長さ（Ｗ）が、ラジアルコード間のタイヤ周方向の間隔（Ｇ）よりも短い場合、ラジアルコード間のゴム部分のバーストを防止する効果が少ないのである。
【００２７】
本発明の第４の特徴は、本発明の第１乃至第３の特徴において、前記補強コードの材質が、所定の有機繊維（例えば、ナイロン、ポリエチレンテレフタレートまたはケブラー）であることを要旨とする。
【００２８】
かかる特徴によれば、破断伸び率が大きく、かつ軽量なカーカス補強層を構成することができる。
【００２９】
本発明の第５の特徴は、本発明の第１乃至第４の特徴において、前記カーカス補強層の引張破断強力が、１５０Ｎ以上であることを要旨とする。
【００３０】
かかる特徴によれば、ＳＵＶ用や小形トラック用空気入りラジアルタイヤが急激にバーストに至ることを充分に抑制することができる。
【００３１】
本発明の第６の特徴は、本発明の第１乃至第５の特徴において、前記ベルト層のタイヤ径方向外側に位置し、前記ベルト層を補強するベルト補強層（キャッププライ２７ａ及びキャップレイヤー２７ｂ）をさらに備えることを要旨とする。
【００３２】
かかる特徴によれば、ベルト補強層とカーカス補強層とを用いることによって、ベルト層ならびにカーカス層を、タイヤ径方向外側及び内側からサンドイッチすることができるため、空気入りラジアルタイヤの急激なバーストをさらに効果的に抑制することができる。
【発明の効果】
【００３３】
本発明によれば、ベルト層のセパレーションが発生してもバーストに至ることを抑制することができる空気入りラジアルタイヤを提供することができる。
【発明を実施するための最良の形態】
【００３４】
［第１実施形態］
次に、本発明に係る空気入りラジアルタイヤ（自動車用空気入りラジアルタイヤ）の実施形態の一例について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００３５】
図１は、本発明の第１実施形態に係る空気入りラジアルタイヤ１０の一部分解斜視図である。同図に示すように、空気入りラジアルタイヤ１０は、ラジアルコード２２ｃと、ラジアルコード２２ｃに圧着されたゴム２２ｇから構成されるカーカス層２２を有している。また、カーカス層２２の両端は、一対のビード部２３によって支持されている。
【００３６】
さらに、カーカス層２２のタイヤ径方向外側には、スチールコードをゴム引きした第１ベルト層２４ａと第２ベルト層２４ｂとが設けられている。第１ベルト層２４ａと第２ベルト層２４ｂとを構成するスチールコードは、タイヤ赤道線ＣＬに対して所定の角度（例えば、±２５度）を有して配置されており、第１ベルト層２４ａと第２ベルト層２４ｂとによって、交錯ベルト層２４が形成される。また、第１ベルト層２４ａ及び第２ベルト層２４ｂのさらにタイヤ径方向外側には、路面に接地するトレッド部２１が設けられている。
【００３７】
カーカス補強層２５は、タイヤ周方向に沿ってカーカス層２２を補強する１本または２本以上の補強コード２５ｃが用いられており、カーカス層２２に隣接するとともに、交錯ベルト層２４とインナーライナー２６との間に設けられている。
【００３８】
具体的には、カーカス補強層２５は、本実施形態では、カーカス層２２と、カーカス層２２よりもタイヤ径方向内側に位置するインナーライナー２６との間に設けられている。また、同図に示すように、カーカス補強層２５は、タイヤ赤道線ＣＬを含む領域に設けられている。
【００３９】
さらに、カーカス補強層２５のトレッド幅方向の長さ（Ｗ）は、タイヤ赤道線ＣＬにおけるラジアルコード２２ｃのタイヤ周方向の間隔（Ｇ）よりも広くなっている（例えば、Ｗ÷Ｇ＝２．０〜２０．０）。
【００４０】
また、補強コード２５ｃに働く張力は、空気入りラジアルタイヤ１０に規定空気圧が充てんされた状態において、５０Ｎ／コード１本以下となっている。具体的には、日本自動車タイヤ協会（ＪＡＴＭＡ）規格において規定される空気入りラジアルタイヤ１０のタイヤサイズに応じた規定空気圧が充てんされた状態において、補強コード２５ｃに働く張力は、５０Ｎ／コード１本以下となっている。
【００４１】
さらに、同図に示すように、空気入りラジアルタイヤ１０に規定空気圧が充てんされた状態において、補強コード２５ｃに働く張力（テンション）を５０Ｎ以下とするため、補強コード２５ｃは、タイヤ周方向に沿って、波状を形成する。なお、補強コード２５ｃに働く張力を５０Ｎ以下とする方法としては、補強コード２５ｃをタイヤ周方向に沿って波状に形成する以外に、例えば、補強コード２５ｃの撚り回数を増加する方法や、補強コード２５ｃを弛ませて配置する方法を用いることもできる。或いは、補強コード２５ｃは、空気入りラジアルタイヤ１０に規定空気圧が充てんされた状態、具体的には、補強コード２５ｃの０．５％伸張時において、ほとんど張力（テンション）が働かないＳ−Ｓ特性を有するように設定してもよい。
【００４２】
また、補強コード２５ｃの材質としては、所定の有機繊維、具体的には、ナイロン（商標名）、ポリエチレンテレフタレート（ＰＥＴ）またはケブラー（商標名）を用いることができる。このような有機繊維の補強コード２５ｃによって構成されるカーカス補強層２５の引張破断強力（１本の補強コード２５ｃの破断強力と打ち込み本数との積）は、１５０Ｎ以上となっている。
【００４３】
次に、図２を参照して、空気入りラジアルタイヤ１０のトレッド幅方向断面における構造について説明する。図２に示すように、図１に示したカーカス層２２は、第１カーカス層２２ａと、第２カーカス層２２ｂとの２層構造を有している。
【００４４】
上述したように、カーカス補強層２５は、交錯ベルト層２４とインナーライナー２６との間であって、カーカス層２２（第１カーカス層２２ａまたは第２カーカス層２２ｂ）に隣接して設けられる。同図に示すように、本実施形態では、カーカス補強層２５は、第２カーカス層２２ｂとインナーライナー２６との間に設けられている。
【００４５】
なお、カーカス補強層２５は、成型工程において、第２カーカス層２２ｂとインナーライナー２６とに接着される。
【００４６】
［第２実施形態］
次に、図３を参照して、本発明の第２実施形態について説明する。以下、上述した本発明の第１実施形態に係る空気入りラジアルタイヤ１０と異なる部分を主に説明し、空気入りラジアルタイヤ１０と同一の部分については、その説明を適宜省略する。
【００４７】
図３に示すように、本実施形態に係る空気入りラジアルタイヤ１１では、カーカス補強層２５が、交錯ベルト層２４とカーカス層２２との間、具体的には、第２ベルト層２４ｂと第１カーカス層２２ａとの間に設けられている。
【００４８】
すなわち、空気入りラジアルタイヤ１１のカーカス補強層２５は、交錯ベルト層２４とインナーライナー２６との間であって、カーカス層２２（第１カーカス層２２ａまたは第２カーカス層２２ｂ）に隣接して設けられている。
【００４９】
［第３実施形態］
次に、図４を参照して、本発明の第３実施形態について説明する。同図に示すように、本実施形態に係る空気入りラジアルタイヤ１２では、カーカス補強層２５が、第１カーカス層２２ａと第２カーカス層２２ｂとの間に設けられている。
【００５０】
すなわち、空気入りラジアルタイヤ１２のカーカス補強層２５は、交錯ベルト層２４とインナーライナー２６との間であって、カーカス層２２（第１カーカス層２２ａまたは第２カーカス層２２ｂ）に隣接して設けられている。
【００５１】
［第４実施形態］
次に、図５を参照して、本発明の第４実施形態について説明する。同図に示すように、本実施形態に係る空気入りラジアルタイヤ１３では、図１及び図２に示した空気入りラジアルタイヤ１０と比較すると、キャッププライ２７ａとキャップレイヤー２７ｂとが付加されている。
【００５２】
なお、キャッププライ２７ａは、交錯ベルト層２４のタイヤ径方向外側に位置し、タイヤ赤道線と実質的に平行に配列された有機繊維コードをゴム引きしたものである。また、キャッププライ２７ａは、交錯ベルト層２４の全幅以上の幅を有し、交錯ベルト層２４を補強するものである。
【００５３】
また、キャップレイヤー２７ｂも、交錯ベルト層２４のタイヤ径方向外側に位置し、タイヤ赤道線ＣＬと実質的に平行に配列された有機繊維コードをゴム引きしたものであり、交錯ベルト層２４の両端部を覆うように配置される。
【００５４】
なお、本実施形態では、キャッププライ２７ａ及びキャップレイヤー２７ｂは、交錯ベルト層２４のタイヤ径方向外側に位置し、交錯ベルト層２４を補強するベルト補強層を構成する。
【００５５】
このように、キャッププライ２７ａ及びキャップレイヤー２７ｂと、カーカス補強層２５とを用いることによって、交錯ベルト層２４ならびにカーカス層２２を、タイヤ径方向外側及び内側からサンドイッチすることができるため、空気入りラジアルタイヤ１３の急激なバーストをさらに効果的に抑制することができる。
【００５６】
［比較評価］
次に、従来例、比較例、及び上述した本発明の実施形態に係る空気入りラジアルタイヤ（実施例）に係る空気入りラジアルタイヤの比較評価の試験方法ならびにその結果について説明する。
【００５７】
（１）試験方法
比較評価に係る試験では、ドラム試験機を用いて、上述した各空気入りラジアルタイヤの性能を評価した。具体的には、ドラム試験機において、空気入りラジアルタイヤの回転速度を時速６０ｋｍ／ｈに相当する速度まで徐々に上昇させ、０．５Ｇの横力（サイドフォース）をサイドウォールの両方向から交互に３０秒ずつ入力した。
【００５８】
さらに、空気入りラジアルタイヤの外周面（トレッド面）から一定の距離を保って配置された検知棒に、空気入りラジアルタイヤのトレッド面が接触した場合、つまり、トレッド面がある程度以上膨れた（バーストを含む）場合、空気入りラジアルタイヤの回転を停止するようにした。
【００５９】
また、比較評価に係る試験では、タイヤ赤道線ＣＬ付近を除き、交錯ベルト層２４（第１ベルト層２４ａ，第２ベルト層２４ｂ）がカーカス層２２に接着されていない特殊な状態、つまり、完全なセパレーションとなる直前の状態とした空気入りラジアルタイヤを用いた。
【００６０】
このような状態とした従来例、比較例及び実施例に係る各空気入りラジアルタイヤのトレッド面が検知棒に接触した後、各空気入りラジアルタイヤの状態を観察し、バーストしているか否かを指数によって評価した。
【００６１】
なお、比較評価に係る試験のその他の条件は、以下の通りである。
【００６２】
・使用タイヤサイズ：  ２０５／６５Ｒ１６
・使用リムサイズ：  ６Ｊ
・設定内圧：  ６００ｋＰａ
・荷重：  １，０３０ｋｇｆ（ＪＡＴＭＡ規格における１００％荷重）
（２）試験結果
表１は、従来例、比較例及び実施例に係る各空気入りラジアルタイヤの諸元ならびに比較評価に係る試験の結果を示している。
【表１】
2005254993.tif 000003
【００６３】
表１において、従来例は、図６に示した空気入りラジアルタイヤ１６と同一の構造を有している。また、比較例は、空気入りラジアルタイヤ１６に、図５に示したキャッププライ２７ａ及びキャップレイヤー２７ｂが付加された構造を有している。
【００６４】
次に、実施例１及び実施例２は、図１及び図２に示した空気入りラジアルタイヤ１０と同一の構造を有している。また、実施例３は、図５に示した空気入りラジアルタイヤ１３と同一の構造を有している。なお、表１において、“Ｉ／Ｌ”とは、インナーライナーの略称である。
【００６５】
表１に示すように、カーカス補強層を有している実施例１〜３に係る空気入りラジアルタイヤは、「耐バースト指数」が向上している。特に、ラジアルコードの間隔（Ｇ）に対して、カーカス補強層の幅（Ｗ）をより広く設定した場合（実施例２）、及びキャッププライ及びキャップレイヤーを付加した場合（実施例３）、従来例や比較例よりも大幅に「耐バースト指数」が向上している。
【００６６】
［作用・効果］
上述した本発明の実施形態に係る空気入りラジアルタイヤ（空気入りラジアルタイヤ１０〜１３によれば、タイヤ周方向に沿ってカーカス層２２を補強する１本または２本以上の補強コード２５ｃが用いられたカーカス補強層２５がカーカス層２２に隣接して設けられているため、わずかな補強によって、交錯ベルト層２４（第１ベルト層２４ａ，第２ベルト層２４ｂ）のセパレーションが発生してもバーストに至ることを抑制することができる。
【００６７】
また、本発明の実施形態に係る空気入りラジアルタイヤによれば、補強コード２５ｃに働く張力が、空気入りラジアルタイヤに規定空気圧が充てんされた状態において、５０Ｎ／コード１本以下となるため、空気入りラジアルタイヤのバーストによって補強コード２５ｃが伸張された場合でも補強コード２５ｃが破断伸び率に達することを防止することができる。
【００６８】
さらに、本発明の実施形態に係る空気入りラジアルタイヤによれば、空気入りラジアルタイヤが正常な状態では、補強コード２５ｃに不要な張力が働かないため、カーカス補強層２５の劣化を抑制すること、及び他の特性（例えば、ベルト層の曲げ剛性）に影響を与えることを回避することができる。
【００６９】
また、本発明の実施形態に係る空気入りラジアルタイヤによれば、カーカス補強層２５がタイヤ赤道線ＣＬを含む領域に設けられるため、カーカス層２２を構成するラジアルコード２２ｃ間のタイヤ周方向における間隔（Ｇ）が最も広く、バーストの起点となり易いタイヤ赤道線ＣＬを含む領域を効果的に補強することができる。
【００７０】
さらに、本発明の実施形態に係る空気入りラジアルタイヤによれば、カーカス補強層２５のトレッド幅方向の長さ（Ｗ）が、タイヤ赤道線ＣＬ上におけるラジアルコード２２ｃ間のタイヤ周方向の間隔（Ｇ）よりも広いため、ラジアルコード２２ｃ間のゴム２２ｇ部分がバーストすることを効果的に抑制することができる。つまり、カーカス補強層２５のトレッド幅方向の長さ（Ｗ）が、ラジアルコード２２ｃ間のタイヤ周方向の間隔（Ｇ）よりも短い場合、ラジアルコード２２ｃ間のゴム２２ｇ部分のバーストを防止する効果が少ないのである。
【００７１】
また、本発明の実施形態に係る空気入りラジアルタイヤによれば、補強コード２５ｃの材質として、ナイロン、ＰＥＴまたはケブラーなどの有機繊維が用いられるため、破断伸び率が大きく、かつ軽量なカーカス補強層２５を構成することができる。さらに、本発明の実施形態に係る空気入りラジアルタイヤによれば、カーカス補強層２５の引張破断強力が、１５０Ｎ以上であるため、ＳＵＶ用や小形トラック用空気入りラジアルタイヤが急激にバーストに至ることを充分に抑制することができる。
【００７２】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００７３】
例えば、上述した本発明の実施形態では、カーカス補強層２５がタイヤ赤道線ＣＬを含む領域に設けられていたが、カーカス補強層２５は、必ずしもタイヤ赤道線ＣＬを含む領域に設けられていなくてもよい。
【００７４】
また、本発明の実施形態では、カーカス補強層２５のトレッド幅方向の長さ（Ｗ）が、タイヤ赤道線ＣＬ上におけるラジアルコード２２ｃのタイヤ周方向の間隔（Ｇ）よりも広くなっていたが、当該長さ（Ｗ）は、当該間隔（Ｇ）と同等以上であればよい。
【００７５】
さらに、本発明の実施形態では、補強コード２５ｃの材質として、ナイロン、ＰＥＴまたはケブラーなどの有機繊維が用いられていたが、補強コード２５ｃの材質は、かかる有機繊維以外であっても構わない。
【００７６】
また、本発明の実施形態では、カーカス補強層２５の引張破断強力を１５０Ｎ以上としたが、カーカス補強層２５の引張破断強力は、必ずしも１５０Ｎ以上でなくてもよい。
【００７７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７８】
【図１】本発明の第１実施形態に係る空気入りラジアルタイヤの一部分解斜視図である。
【図２】本発明の第１実施形態に係る空気入りラジアルタイヤのトレッド幅方向断面図である。
【図３】本発明の第２実施形態に係る空気入りラジアルタイヤのトレッド幅方向断面図である。
【図４】本発明の第３実施形態に係る空気入りラジアルタイヤのトレッド幅方向断面図である。
【図５】本発明の第４実施形態に係る空気入りラジアルタイヤのトレッド幅方向断面図である。
【図６】従来例に係る空気入りラジアルタイヤのトレッド幅方向の一部断面図である。
【図７】従来例に係る空気入りラジアルタイヤにおけるバーストの発生例を示す図である。
【符号の説明】
【００７９】
１０〜１３，１６…空気入りラジアルタイヤ、２１…トレッド部、２２…カーカス層、２２ａ…第１カーカス層、２２ｂ…第２カーカス層、２２ｃ…ラジアルコード、２２ｇ…ゴム、２３…ビード部、２４…交錯ベルト層、２４ａ…第１ベルト層、２４ｂ…第２ベルト層、２５…カーカス補強層、２５ｃ…補強コード、２６…インナーライナー、２７ａ…キャッププライ、２７ｂ…キャップレイヤー、ＣＬ…タイヤ赤道線
【図１】
2005254993.tif 000004
【図２】
2005254993.tif 000005
【図３】
2005254993.tif 000006
【図４】
2005254993.tif 000007
【図５】
2005254993.tif 000008
【図６】
2005254993.tif 000009
【図７】
2005254993.tif 000010